(57)【特許請求の範囲】
【請求項１】
複数の発光体が表面側に設けられた基板と、
前記基板の表面側に配置された表側部材と、を備えた遊技機において、
前記表側部材は、
前記基板の表面側に当接する当接部と、
前記基板の表面側との間に隙間を置いて設けられ且つ前記発光体の光照射領域を区画する区画壁と、を備え、
前記隙間の高さは前記発光体の発光部位の前記基板からの突出高さ未満であり、
前記発光体に接続される回路パターンは、
前記当接部と当接する当接面以外の位置で前記基板の表面側に形成された表面側回路パターンと、
前記当接部に対応する位置で前記基板の裏面側に形成された裏面側回路パターンと、を有する
ことを特徴とする遊技機。
【発明の詳細な説明】
【技術分野】
【０００１】
本発明は、発光表示手段を備えた遊技機に関するものである。
【背景技術】
【０００２】
パチンコ機、アレンジボール機等の遊技機には、ＬＥＤ等の発光体からの光を表示部に照射して発光表示する発光表示手段が遊技情報表示用、発光演出用、発光装飾用等として広く採用されている（特許文献１）。
【０００３】
この発光表示手段は、従来、複数の表示部を有する発光表示板と、各表示部に対応するＬＥＤ等の複数の発光体が装着された基板と、発光表示板と基板の間に介在された前側部材、例えば発光体から表示部に照射される光の照射領域を区画する区画部材とを備えている。また基板の前面には、複数の発光体と、各発光体に接続された回路パターンとが設けられており、その回路パターン側に区画部材の端面が当接している。
【先行技術文献】
【特許文献】
【０００４】
【特許文献１】特開２０１３−１８３７７８号公報
【発明の開示】
【発明が解決しようとする課題】
【０００５】
この種の発光表示手段では、基板と発光表示板との間に、端面が基板の前面に当接する区画部材があるため、発光体の光の外部への漏れが少なく、発光表示板の照射領域に対応する表示部を明るく発光させることができる。
【０００６】
しかし、従来の発光表示手段は、区画部材の端面が基板の前面の回路パターン側に当接しているため、回路パターンを覆う絶縁皮膜が基板の前面にあるとしても、その区画部材との接触によって基板の回路パターンが削れてしまう等の懸念がある。
【０００７】
一方、基板と区画部材との間に所定の隙間を確保すれば、区画部材による回路パターンの損傷を未然に防止できるが、この場合にはその隙間部分からの光の漏れが多くなり、表示部の明るさが低下する等の問題が生じる。
【０００８】
本発明は、このような従来の問題点に鑑み、発光体の光の漏れを防止しながら前側部材による回路パターンの損傷を防止できる遊技機を提供することを目的とする。
【課題を解決するための手段】
【０００９】
本発明は、複数の発光体が表面側に設けられた基板と、前記基板の表面側に配置された表側部材と、を備えた遊技機において、前記表側部材は、前記基板の表面側に当接する当接部と、前記基板の表面側との間に隙間を置いて設けられ且つ前記発光体の光照射領域を区画する区画壁と、を備え、前記隙間の高さは前記発光体の発光部位の前記基板からの突出高さ未満であり、前記発光体に接続される回路パターンは、前記当接部と当接する当接面以外の位置で前記基板の表面側に形成された表面側回路パターンと、前記当接部に対応する位置で前記基板の裏面側に形成された裏面側回路パターンと、を有するものである。
【発明の効果】
【００１１】
本発明によれば、発光体の光の漏れを防止しながら前側部材による回路パターンの損傷を防止できる利点がある。
【図面の簡単な説明】
【００１２】
【図１】本発明の第１の実施形態を示すパチンコ機の斜視図である。
【図２】同遊技盤の正面図である。
【図３】同発光表示手段の正面断面図である。
【図４】（ａ）は同発光表示手段の上部側の平面断面図、（ｂ）は同発光表示手段の中間部側の平面断面図である。
【図５】同発光表示手段の側面断面図である。
【図６】同区画部材の斜視図である。
【図７】同基板の正面図である。
【図８】同基板の背面図である。
【図９】同基板の要部の拡大図である。
【図１０】同制御系のブロック図である。
【図１１】本発明の第２の実施形態を示す区画部材の背面図である。
【図１２】同要部の断面図である。
【図１３】本発明の第３の実施形態を示す断面図である。
【図１４】本発明の第４の実施形態を示す断面図である。
【図１５】本発明の第５の実施形態を示す断面図である。
【発明を実施するための形態】
【００１３】
以下、本発明の第１の実施形態を図面に基づいて詳述する。
【００１４】
図１〜図１０は本発明をパチンコ機１に採用した第１の実施形態を例示する。パチンコ機１は、図１に示すように矩形状の外枠２と、この外枠２の前側にヒンジ３により縦軸廻りに開閉自在に枢着された前枠４とを備えている。なお、外枠２と前枠４とにより、遊技機本体が構成されている。
【００１５】
前枠４の上部側の遊技盤装着部には、遊技盤５（図２参照）が前側又は後側から着脱自在に装着されている。また、前枠４の前側には、遊技盤５の前側に対応する第１前扉６と、この第１前扉６の下側に配置された第２前扉７とが、ヒンジ３と略同一軸心上のヒンジ８により縦軸廻りに開閉自在に枢支されている。なお、第１前扉６と第２前扉７とを一体にして、一つの前扉とすることも可能である。
【００１６】
第２前扉７の前側には、発射用の遊技球を貯留する球供給皿９と、余剰球を貯留する球貯留皿１０とが上下に配置され、球貯留皿１０の側方に遊技球を発射する発射手段１１の発射ハンドル１２が設けられている。
【００１７】
第１前扉６は遊技盤５の遊技領域１５（図２参照）に対応する透視窓１６と、遊技領域１５を視認可能に透視窓１６を塞ぐガラス板ユニット（透明板ユニット）１７とを有する。ガラス板ユニット１７は前後２枚のガラス板（透明板）と、ガラス板の外周側を保持する保持枠とを備え、第１前扉６の後側に着脱自在に装着されている。
【００１８】
遊技盤５の前面には、図２に示すように、発射手段１１から発射された遊技球を案内するガイドレール１８と、略円弧状の内周面を有する外飾り部材１９とが周方向に装着され、そのガイドレール１８と外飾り部材１９との内側が略円形状の遊技領域１５となっている。ガイドレール１８は内レール１８ａと外レール１８ｂとを有する。
【００１９】
内レール１８ａは遊技盤５の一側下部の遊技球の受け入れ部２０側と遊技領域１５の一側上部との間に配置されており、この内レール１８ａの上端部に、遊技領域１５からガイドレール１８側への遊技球の戻りを防止するための戻り防止具２１が設けられている。外レール１８ｂは一側下部の遊技球の受け入れ部２０側と遊技領域１５の上部側との間に配置されている。
【００２０】
遊技領域１５には、センターケース等の前構造体２３と、この前構造体２３の表示窓２４に対応して遊技盤５に裏側から装着された液晶表示式、その他の画像表示手段２５が略中央部に配置され、また前構造体２３の周辺に普通図柄始動手段２６、特別図柄始動手段２７、開閉入賞手段２８、普通入賞手段２９、特別図柄表示手段３０、発光表示手段３１、可動演出手段３２等の各種の遊技部品が配置されている。
【００２１】
発光表示手段３１は普通図柄表示手段３３と演出表示手段３４とを備えている。なお、普通図柄表示手段３３と演出表示手段３４は別々に設けてもよいし、演出表示手段３４の一部に普通図柄表示手段３３を組み込んでもよい。
【００２２】
前構造体２３の左右両側の遊技領域１５には、前構造体２３と左側のガイドレール１８との間に左側通路３６が、前構造体２３と右側の外飾り部材１９との間に右側通路３７が夫々形成されており、遊技領域１５の上部に打ち込まれた遊技球が、その左側通路３６、右側通路３７の何れかを経て落下した後、遊技領域１５の下部のアウト球口３８から外部へと排出されるようになっている。
【００２３】
前構造体２３は、画像表示手段２５に対応する表示窓２４を有し、その表示窓２４の上側周辺に特別図柄表示手段３０が設けられ、表示窓２４の一側方に可動演出手段３２が設けられ、更に表示窓２４の下側に遊技球の転動部３９が設けられている。転動部３９は特別図柄始動手段２７の上方に配置されている。
【００２４】
普通図柄始動手段２６は通過ゲート式であって、ガイドレール１８と前構造体２３との間の左側通路３６に配置されている。特別図柄始動手段２７、開閉入賞手段２８は前構造体２３と最下部のアウト球口３８との間に上下に配置されている。普通入賞手段２９は特別図柄始動手段２７の左側に３個（複数個）配置され、発光表示手段３１は別図柄始動手段２７の右側に配置されている。
【００２５】
普通図柄表示手段３３は普通図柄を変動表示するためのもので、２個の図柄用表示部４０の点灯、消灯の組み合わせにより構成され、普通図柄始動手段２６が遊技球を検出することを条件に２個の図柄用表示部４０が交互に点灯するように所定時間変動して、普通図柄始動手段２６の遊技球の検出に基づいて抽選された抽選結果が特定遊技の場合に一方の表示部が発光して停止し、それ以外の非特定遊技の場合に他方が発光して停止する。なお、変動後の普通図柄は１／１０程度の所定の確率で特定態様となる。
【００２６】
特別図柄表示手段３０は発光部位の変化等で特別図柄を変動表示可能なセグメント式等の表示手段により構成されており、特別図柄始動手段２７が遊技球を検出することを条件に特別図柄が所定時間変動して、その遊技球の検出に基づいて抽選された抽選結果が特別遊技の場合に所定の特別遊技態様で、それ以外の場合に非特別遊技態様で停止するようになっている。
【００２７】
なお、変動後の特別図柄は、通常確率状態中は１／３５０等の通常確率で特別遊技となり、特別遊技状態終了後の高確率状態中は１／３５等の高確率で特別遊技となる。
【００２８】
画像表示手段２５は特別図柄表示手段３０に対応する演出図柄表示手段４１を構成するもので、特別図柄の変動時にその図柄変動に同期して変動する１個又は複数個、例えば３個の演出図柄４１ａ〜４１ｃを変動表示する。
【００２９】
演出図柄４１ａ〜４１ｃは特別図柄始動手段２７の遊技球の検出を条件に、抽選により決定された所定の演出図柄変動パターンを経て所定時間変動した後、特別図柄の変動終了に同期して所定の順序で順次停止する。
【００３０】
演出図柄４１ａ〜４１ｃの変動後の停止図柄は、特別図柄が特別態様で停止する場合には二つが揃うリーチを経て全てが揃う特別演出態様となり、特別図柄が非特別態様で停止する場合には少なくとも一部が異なる非特別演出態様となる。
【００３１】
例えば、演出図柄４１ａ〜４１ｃには０〜９までの数字図柄が使用されており、特別図柄が特別態様で停止する場合には「７・７・７」等の特別演出態様で停止し、特別図柄が非特別態様で停止する場合には「２・４・５」等の非特別演出態様で停止するようになっている。
【００３２】
特別図柄始動手段２７は上側の非開閉式始動口２７ａと、下側の開閉式始動口２７ｂとを有する。開閉式始動口２７ｂは左右一対の開閉部材を備えた電動チューリップ式入賞手段等により構成され、普通図柄表示手段３３の変動後の普通図柄が特定態様で停止した場合に所定の開放パターンで開放するようになっている。
【００３３】
開閉入賞手段２８は変動後の特別図柄が特別態様で停止した場合に発生する特別遊技状態中に所定の開放パターンで開閉するもので、可変入賞口２８ａを開閉する開閉部材２８ｂを有し、この可変入賞口２８ａに遊技球が入賞したときに、他の普通入賞手段２９等への入賞よりも多くの賞球が払い出されるようになっている。
【００３４】
なお、開閉入賞手段２８の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、特別遊技の抽選時にその複数種類の開閉パターンの何れかが抽選される。
【００３５】
発光表示手段３１は普通図柄表示手段３３と演出表示手段３４とを備えており、特別図柄始動手段２７に対して普通入賞手段２９と反対側で前構造体２３の下側に配置されている。
【００３６】
前構造体２３は、図３〜図５に示すように、遊技盤５の前面に当接する板状の取り付け部４２と、この取り付け部４２の内周に一体に形成され且つ後部側が遊技盤５の装着孔４４内に配置される周壁部４３と、周壁部４３の前側に一体又は別体に設けられた前側板４５等を有する。この前構造体２３の発光表示手段３１側は、取り付け部４２及び周壁部４３が特別図柄始動手段２７等の側方へと下側に突出しており，その突出部分の周壁部４３内に発光表示手段３１が設けられている。
【００３７】
発光表示手段３１は、図３〜図５に示すように、前構造体２３の周壁部４３の前端側に遊技盤５と略平行に一体に形成された発光表示板４６と、この発光表示板４６の裏側に略平行に配置された基板４７と、基板４７と発光表示板４６との間に配置された光遮光性を有する前側部材４８とを備えている。演出表示手段３４は発光表示手段３１の下部側に大きく略矩形状に配置され、その上側近傍の一側に普通図柄表示手段３３が配置されている。
【００３８】
発光表示板４６は光透過性を有し、前構造体２３の周壁部４３等と一体に構成されている。この発光表示板４６には、前面に普通図柄表示手段３３の図柄用表示部４０と、演出表示手段３４の演出用の第１表示部４９〜第６表示部５４を構成する表示シート５５とが設けられ、裏面に凹凸状の乱反射部５６が表示シート５５の各表示部４９〜５４に対応して設けられている。なお、発光表示板４６は周壁部４３に着脱自在に装着してもよい。
【００３９】
図柄用表示部４０は、図４、図５に示すように、支持部５７から前側に突出する円筒部分の前端が球面状に形成されたレンズ部４０ｂにより構成されている。支持部５７は発光表示板４６から裏側に突出する外筒部５８内の前後方向の中間に一体に設けられ、この支持部５７に左右に２個の図柄用表示部４０が配置されている。
【００４０】
図柄用表示部４０の外周には、支持部５７、外筒部５８によって形成されたレンズ部４０ｂを取り囲む環状の凹部５９があり、レンズ部４０ｂの先端側が明瞭に発光するように凹部５９によって発光表示板４６の周辺部分と区画されている。
【００４１】
表示シート５５は光透過性を有し、この表示シート５５には、上下、左右に区画して第１表示部４９〜第６表示部５４が設けられている。図２に示すように、第１表示部４９はパチンコ機１の機種名が印刷等により表示され、また第２表示部５０には「大当たり確立」、第３表示部５１には「リーチ」、第４表示部５２には「召還」、第５表示部５３には「バトル」、第６表示部５４には「大当たり！？」等の遊技演出表示が印刷等により夫々表示されている。
【００４２】
なお、第１表示部４９〜第６表示部５４の表示内容は他の遊技演出表示でもよいし、他の装飾表示でもよい。また第１表示部４９〜第６表示部５４は発光表示板４６に凸状、凹状又は凹凸状等の適宜手段により遊技情報等を直接表示してもよい。
【００４３】
第１表示部４９、第２表示部５０は左右方向の帯状に上下に配置され、その下側に第１表示部４９等の半分程度の長さの帯状に第３表示部５１〜第６表示部５４が左右に並べて上下に配置されている。
【００４４】
基板４７の前面には、図３、図７に示すように、普通図柄表示手段３３の２個の図柄用表示部４０に光を照射する左右２個のＬＥＤ（発光体）６１と、演出表示手段３４の各表示部４９〜５４に光を照射する複数のＬＥＤ（発光体）６２とが装着されている。各ＬＥＤ６１，６２は前面側に発光部位を有し、その発光部位から前向きに光を照射する前面発光式である。
【００４５】
第１表示部４９、第２表示部５０には左右方向に複数（例えば４個）のＬＥＤ６２が対応し、第３表示部５１〜第６表示部５４に左右方向に複数（例えば２個）のＬＥＤ６２が対応している。
【００４６】
基板４７の裏面には、図８に示すように、ＬＥＤ６１，６２に接続される抵抗７１，７２、ＬＳＩ等の駆動ディバイス７３、コネクタ７４等の各種の電子部品が装着されている。普通図柄表示手段３３用の２個のＬＥＤ６１は、基板４７の両面に形成された導体箔等の回路パターン７６〜７８、コネクタ７４を介して外部の主制御基板７９（図１０参照）に並列に接続され、主制御基板７９の普通図柄制御部により点滅制御されるようになっている。
【００４７】
演出表示手段３４用の各ＬＥＤ６２は、基板４７の両面に形成された導体箔の回路パターン８０，８１を介して各表示部４９〜５４毎に直列に接続されると共に、駆動ディバイス７３に接続され、また駆動ディバイス７３はコネクタ７４を介して外部の演出制御基板８２（図１０参照）に直列に接続されており、演出制御基板８２の演出制御部により点滅制御するようになっている。なお、演出制御基板８２の演出制御部は、主制御基板７９からの制御により駆動されるようになっている。
【００４８】
前側部材４８は、図３〜図６に示すように、各ＬＥＤ６１，６２から各表示部４０，４９〜５４への光の照射領域４０ａ，４９ａ〜５４ａを区画する区画部材８７により構成されている。区画部材８７は演出表示手段３４に対応する外周壁８９と、この外周壁８９内を各表示部４９〜５４に対応する照射領域４９ａ〜５４ａに区画する区画壁９０とを有する。外周壁８９の前端は発光表示板４６の乱反射部５６の外周に当接し、また外周壁８９の後端には、基板４７の前面側に当接する当接部９１と、基板４７の外周面に当接又は近接する突出側壁部９２とが周方向に設けられている。なお、当接部９１は演出表示手段３４の全周に設けてもよい。
【００４９】
区画部材８７の後端側には、その外周壁８９から内側へと断面Ｌ字状に突出する突出縁９３が、中間の区画壁９０から両側へと断面Ｔ字状に突出する突出縁９４が夫々一体に形成されている。区画部材８７の当接部９１側の後端と、突出縁９３，９４の後端との間には前後方向に段差があり、突出縁９３，９４の後端がＬＥＤ６２の発光部位の基板４７からの突出高さ未満の隙間９５で基板４７の前面に近接している。突出縁９４は光の漏れを阻止する広幅の漏れ阻止部を構成する。
【００５０】
普通図柄表示手段３３は、図３〜図６に示すように、基板４７側のＬＥＤ６１と、発光表示板４６側の図柄用表示部４０と、発光表示板４６と基板４７との間で区画部材８７に設けられ且つＬＥＤ６１からの光を図柄用表示部４０への照射領域４０ａを区画する円筒状の区画筒部９６とを有する。
【００５１】
区画筒部９６は区画部材８７の外周壁８９の後部側から上側に突出する支持板９７に前後方向に一体に設けられており、区画筒部９６の前端側は発光表示板４６の外筒部５８に後側から挿入されている。この支持板９７の裏側には区画筒部９６の口部９６ａがＬＥＤ６１を取り囲む同心状に設けられ、その後端面はＬＥＤ６１の発光部位側の突出高さ未満の隙間９８を介して基板４７の前面に近接している。支持板９７には区画部材８７と反対側の突出端側に基板４７に当接する突起９９が設けられている。
【００５２】
区画部材８７は、図３、図５に示すように上下一対の位置決め手段８５により発光表示板４６に位置決めされている。位置決め手段８５は、発光表示板４６側の位置決め突起１００と、この位置決め突起１００が嵌合する区画部材８７側の位置決め孔１０１とを備えている。
【００５３】
基板４７は、図３、図４に示すように、発光表示板４６に対して上下一対の位置決め手段８３、固定手段８４により着脱自在に固定されている。位置決め手段８３は発光表示板４６側の位置決め突起１０２と、この位置決め突起１０２が嵌合する基板４７側の位置決め孔１０３とを備えている。固定手段８４は発光表示板４６側の取り付けボス１０５と、この取り付けボス１０５に螺合するネジ等の固定具１０６とを備えている。位置決め手段８３、固定手段８４は外周壁８９の外側に配置されている。
【００５４】
基板４７の前面には、図９に示すように、普通図柄表示手段３３の区画筒部９６の口部９６ａ内に、各ＬＥＤ６１に接続された回路パターン７６と、基板４７を前後に貫通する通孔１０８とが形成されている。通孔１０８からコネクタ７４までの間は、図７、図８に示すように、基板４７の区画部材８７と反対の裏面に形成された回路パターン７７、区画部材８７の当接部９１内で基板４７の前面に形成された回路パターン７８等を経てコネクタ７４に接続されている。
【００５５】
なお、この場合は、通孔１０８からコネクタ７４までの回路パターン７７，７８の全てを基板４７の裏面に設けてもよいが、少なくとも区画部材８７に対応する部分が基板４７の裏面側にあれば十分である。
【００５６】
基板４７の前面には、図７、図９に示すように、演出表示手段３４の各ＬＥＤ６２に接続された回路パターン８０も形成されており、その各回路パターン８０は区画部材８７の当接部９１よりも内側のパターン配置領域１０９内に配置されている。基板４７の裏面には、図８に示すように、抵抗７１、駆動ディバイス７３、コネクタ７４等に接続された回路パターン８１が上下のスペース部１１０を除く略全域に形成されている。なお、基板４７の前後両面には、図７、図８に示すように、回路パターン７７，７８、回路パターン８０，８１等を覆う絶縁皮膜６８，６９が設けられている。
【００５７】
各スペース部１１０の一方には、基板４７の管理番号１１２が設けられている。管理番号１１２は図３に示すように外周壁８９内に配置され、後方から視認可能に設けられている。
【００５８】
遊技に際しては、発射ハンドル１２を操作して、球供給皿９内の遊技球を発射手段１１へと供給しながら、その遊技球を発射手段１１により遊技盤５側へと順次発射し、ガイドレール１８を経て遊技領域１５へと遊技球を打ち込む。
【００５９】
そして、普通図柄始動手段２６が遊技球を検出すれば、主制御基板７９において、その遊技球の検出に基づいて普通遊技か否かの抽選を行い、その抽選結果に従って主制御基板７９からの制御により、普通図柄表示手段３３の普通図柄用の２個のＬＥＤ６１が適宜発光パターンで点滅して変動し、抽選結果に応じて普通遊技の場合には普通遊技態様で、非普通遊技の場合には非普通遊技態様で夫々停止する。
【００６０】
普通図柄用のＬＥＤ６１が発光すると、その光は区画部材８７の区画筒部９６内を経て発光表示板４６の図柄用表示部４０へと照射され、その図柄用表示部４０のレンズ部４０ｂがＬＥＤ６１の点滅周期に従って点滅発光する。
【００６１】
普通遊技の場合には、普通図柄の変動終了後に特別図柄始動手段２７の開閉式始動口２７ｂが所定時間開閉する。遊技球が特別図柄始動手段２７の非開閉式始動口２７ａ、開閉式始動口２７ｂの何れかに遊技球が入賞すると、特別図柄始動手段２７の遊技球の検出に基づいて特別図柄が所定時間変動する。
【００６２】
そして、特別図柄始動手段２７に遊技球が入賞したときの抽選結果が特別遊技であるか否かに応じて、特別図柄表示手段３０の特別図柄が所定の変動パターンで所定時間変動して、その変動後の特別図柄が特別態様又は非特別態様で停止し、演出図柄表示手段４１の演出図柄４１ａ〜４１ｃが特別演出態様又は非特別演出態様で停止する。
【００６３】
特別遊技の場合には、特別図柄表示手段３０の変動後の特別図柄が特別態様で停止した後に特別遊技状態となり、開閉入賞手段２８が抽選された所定の開閉パターンで所定ラウンド数開閉動作を繰り返し、遊技者は有利な状態で遊技を行うことができる。
【００６４】
パチンコ機１の稼動中は、第１表示部４９、第２表示部５０に対応するＬＥＤ６２が点灯し、そのＬＥＤ６２からの光によって第１表示部４９が機種名を、第２表示部５０が大当たり確率を夫々発光表示している。また演出図柄表示手段４１の演出図柄４１ａ〜４１ｃは特別図柄表示手段３０の特別図柄に連動して変動するが、その演出図柄４１ａ〜４１ｃの変動中に、例えば中央の演出図柄４１ｂを除く左右両側の演出図柄４１ａ，４１ｃが同種図柄となるリーチになれば、演出制御基板８２の制御により、可動演出手段３２が可動リーチ演出を行うと共に、演出表示手段３４の第３表示部５１に対応するＬＥＤ６２が点灯し、第３表示部５１が発光する発光リーチ演出を行う。
【００６５】
このように発光表示手段３１では、普通図柄表示手段３３の２個の図柄用表示部４０の点滅発光による普通図柄の変動表示を行う一方、演出表示手段３４の第１表示部４９が機種名を、第３表示部５０が大当たり確率を夫々発光表示し、更に遊技状態に応じて第３表示部５１〜第６表示部５４が夫々の遊技情報を発光表示して所定の遊技演出を行う。
【００６６】
例えば、普通図柄表示手段３３の普通図柄の変動中は、普通図柄用のＬＥＤ６１が所定の発光パターンで点滅すると、各ＬＥＤ６１からの光が区画部材８７の区画筒部９６内を経て発光表示板４６の図柄用表示部４０へと照射され、その図柄用表示部４０のレンズ部４０ｂがＬＥＤ６１の点滅周期に従って点滅発光する。
【００６７】
特に普通図柄の図柄用表示部４０は発光表示板４６に区画筒部９６を介してレンズ部４０ｂを形成しており、レンズ部４０ｂの外周に凹部５９があるため、発光表示板４６に図柄用表示部４０を設けているにも拘わらず、その図柄用表示部４０を発光表示板４６の周辺部分とは異なって鮮明に発光させることができる。
【００６８】
また演出表示手段３４の各表示部４９〜５４に対応するＬＥＤ６２が点灯した場合にも、内部が区画壁９０により各表示部４９〜５４に対応する複数の照射領域４９ａ〜５４ａに区画された区画部材８７があり、この区画部材８７が各ＬＥＤ６２から各表示部４９〜５４へと照射される光の照射領域４９ａ〜５４ａを区画するため、各表示部４９〜５４毎に鮮明に発光させることができる。
【００６９】
一般に基板４７と発光表示板４６との間に区画部材８７を設けるに当たっては、ＬＥＤ６１，６２の光が外部又は他の表示部４０，４９〜５４相互に漏れないように区画部材８７を基板４７の前面に当接させて配置する。特に演出表示手段３４と普通図柄表示手段３３とを接近させて配置する際には、演出表示手段３４側の光の影響が普通図柄表示手段３３側に及ばないように、普通図柄表示手段３３と演出図柄表示手段４１との間で区画部材８７を基板４７に当接させている。
【００７０】
この場合、例えば普通図柄表示手段３３のＬＥＤ６１は、区画部材８７の外周壁８９の外側で区画筒部９６に対応して配置しているため、区画部材８７の当接部９１を横切るように配置してコネクタ７４に接続する必要があるが、区画部材８７の当接部９１が基板４７に当接する部分に回路パターンがあれば、その区画部材８７の当接部９１によって回路パターンが損傷することとなる。
【００７１】
しかし、区画部材８７の当接部９１に対応する部分では、基板４７の反対側に回路パターン７７を設けることによって、区画部材８７との接触による回路パターン７７の損傷を防止することができる。またＬＥＤ６１の近傍には基板４７の前面側に回路パターン７６があるが、区画筒部９６と基板４７との間に隙間９８があるため、区画筒部９６による回路パターン７６の損傷を防止することができる。
【００７２】
更に区画筒部９６の口部９６ａ内に通孔１０８と回路パターン７６とがあり、その通孔１０８内の導体部分を経て基板４７の裏面の回路パターン７７に接続し、区画筒部９６を支持する支持板９７に、基板４７に当接する突起９９を設けているため、組み立て等の際に区画筒部９６と基板４７との接触を防止することができる。
【００７３】
演出表示手段３４においても、基板４７の区画部材８７と対向する前面に多数のＬＥＤ６２と回路パターン８０とがあるが、区画部材８７の基板４７に当接する当接部９１の内周側にＬＥＤ６２、回路パターン８０を配置する一方、区画壁９０と基板４７との間に隙間９５を設けているので、区画部材８７の当接部９１が基板４７に当接しているにも拘わらず、区画部材８７との接触によるＬＥＤ６２、回路パターン８０の損傷を防止することができる。
【００７４】
普通図柄表示手段３３側には区画筒部９６と基板４７との間に隙間９８があり、演出表示手段３４側には区画壁９０と基板４７との間に隙間９５があるが、各隙間９５，９８はＬＥＤ６１，６２の突出高さ未満であるため、そのＬＥＤ６１，６２の突出端側から照射される光の漏れを防止することができる。
【００７５】
また区画部材８７の外周壁８９は基板４７側の内周に突出縁９３を有する断面Ｌ字状であり、区画壁９０はその厚さ方向の両側に突出縁９４を有する断面Ｔ字状であるため、その補強作用により区画部材８７の剛性を高めることができる。また区画壁９０の基板４７側の端面が突出縁９４によって広幅状になっているため、隙間９５がＬＥＤ６２の突出高さ未満であることと相俟って、隣接する照射領域４９ａ〜５４ａ相互間での光の漏れを極力少なくすることが可能である。
【００７６】
基板４７の前面には区画部材８７に対応する前面にＬＥＤ６１，６２を配置し、このＬＥＤ６１，６２以外の抵抗７１，７２、駆動ディバイス７３、コネクタ７４等の電子部品は基板４７の裏面に配置しているので、基板４７側のＬＥＤ６１，６２、区画部材８７側の区画壁９０を各表示部４０，４９〜５４の形状に対応して配置することができる。
【００７７】
図１１、図１２は本発明の第２の実施形態を例示する。この実施形態では、区画部材８７の支持板９７の外周に普通図柄表示手段３３を取り囲む当接部９７ａが設けられており、この当接部９７ａが基板４７に当接している。他の構成は、第１の実施形態と同様である。
【００７８】
このように支持板９７の当接部９７ａが普通図柄表示手段３３の全周側で基板４７に当接するようにすれば、普通図柄表示手段３３のＬＥＤ６１の光の漏れを遮断でき、図柄用表示部４０の発光状態をより明瞭にすることができる。
【００７９】
図１３は本発明の第３の実施形態を例示する。この実施形態の演出表示手段３４は、前構造体２３の前側板４５の開口１１５側に対応する発光表示板４６と、複数の表示部４９〜５１を有し且つ発光表示板４６の裏側に配置された表示シート５５と、表示部４９〜５１に対応する複数のＬＥＤ６２が装着された基板４７と、各表示部４９〜５１用のＬＥＤ６２に対応する開口１１６を有し且つ表示シート５５と基板４７との間に介在された区画部材８７と、基板４７を裏側から覆い且つ基板４７を区画部材８７との間で挟持して固定する裏カバー１１９と、裏カバー１１９に装着された駆動基板１２０とを備えている。
【００８０】
発光表示板４６は光透過性を有し、表示シート５５を前側から覆うようになっている。表示シート５５は光透過性を有し、この表示シート５５の各表示部４９〜５１には遊技情報、遊技画像、その他の演出情報が印刷等により表示されている。
【００８１】
基板４７の前面には、前面側の発光部位から表示シート５５側へと光を照射可能なＬＥＤ６２が各表示部４９〜５１に対応して複数装着されると共に、その各ＬＥＤ６２に接続された回路パターン（図示省略）が装着されている。なお、基板４７の裏側の裏面には、コネクタ等の電子部品が装着されている。
【００８２】
区画部材８７は遮光性を有し、区画枠１２１と、この区画枠１２１内を複数の表示部４９〜５１に対応して区画する区画壁１２２とを備えている。区画枠１２１は基板４７に対向する前板部１２４と、この前板部１２４の外周から表示シート５５側に突出し且つ前端面が表示シート５５の外周部分に当接する周壁部１２５とを有し、前側板４５に取り付けボス１２６、ネジ１２７等を介して着脱自在に固定されている。
【００８３】
前板部１２４には、各ＬＥＤ６２に対応する開口１１６が前後方向に貫通して形成されると共に、後方に突出する位置決め突起１２８及び取り付けボス１３０が設けられている。周壁部１２５の前後方向の突出量は、ＬＥＤ６２の光が表示シート５５上で十分に拡散するに必要な寸法に設定されている。
【００８４】
位置決め突起１２８は、基板４７の前面が当接する隙間保持部１２８ａと、隙間保持部１２８ａから後側に突出して基板４７の位置決め孔１２９に挿入される位置決め部１２８ｂとが設けられている。隙間保持部１２８ａは基板４７と区画部材８７の区画壁１２２の裏面との間の隙間９５がＬＥＤ６２の前面の発光部位の突出高さ未満となる寸法である。なお、区画部材８７の区画壁１２２の裏面は平坦状であり、基板４７と略同一隙間９５で略平行になっている。
【００８５】
取り付けボス１３０は基板４７の挿通孔１３１に挿通され、その後端側に裏カバー１１９がネジ１３２等で着脱自在に固定されている。駆動基板１２０は裏カバー１１９の裏側に着脱自在に固定されている。他の構成は各実施形態と同様である。
【００８６】
このように基板４７の前面にＬＥＤ６２、回路パターン８０等を装着し、この基板４７の前側に区画枠１２１の前板部１２４を相対向して配置する場合、位置決め突起１２８に設けた隙間保持部１２８ａの後端に基板４７を当接させて、その隙間保持部１２８ａにより、基板４７と前板部１２４との間を所定の隙間９５に保つことも可能である。
【００８７】
図１４は本発明の第４の実施形態を例示する。この実施形態の発光表示手段３１では、ＬＥＤ６２は前面発光式であり、このＬＥＤ６２はリード６２ｂを介して基板４７の前面から上側に離れた状態で固定されている。また区画部材８７の外周壁８９、区画壁９０の突出縁９３，９４と基板４７との隙間９５はＬＥＤ６２の厚み以上であり、ＬＥＤ６２の発光部位の突出高さ未満となるように設けられている。区画部材８７の外周壁８９は当接部９１が基板４７の前面に当接している。
【００８８】
このようにＬＥＤ６２を基板４７から離して設ける場合でも、その区画壁９０の後端と基板４７の前面との隙間９５をＬＥＤ６２の発光部位の突出高さ未満とすれば、区画壁９０の後側からの光の漏れを防止することができる。
【００８９】
図１５は本発明の第５の実施形態を例示する。この実施形態の発光表示手段３１は、表示部４６ａにＶ溝１３３による装飾模様が形成された発光表示板４６と、この発光表示板４６の裏面に配置された基板４７と、この基板４７の前面に装着され且つ発光表示板４６の端面側から板面方向に光を照射するＬＥＤ６２とを備えている。
【００９０】
発光表示板４６は前側部材４８を構成するものであって、基板４７の前面に当接する当接部９１を有する。発光表示板４６の裏側には装飾シート１３４が設けられている。基板４７の前面には発光表示板４６の当接部９１から外れた位置に、ＬＥＤ６２と、このＬＥＤ６２に接続された回路パターン１１３と通孔１０８とが設けられている。ＬＥＤ６２は発光表示板４６と対向する側面に発光部位を有する側面発光式である。
【００９１】
また基板４７の当接部９１に対応する部分では、その裏面側に回路パターン１１４が設けられている。基板４７の両側の回路パターン１１３，１１４は通孔１０８の導体を介して接続されている。なお、コネクタ７４も基板４７の裏面に装着されている。
【００９２】
この場合には、ＬＥＤ６２が点灯すれば、その光が発光表示板４６の端面から板面方向に導光され、その光が装飾模様のＶ溝１３３で反射して表示部４６ａが発光する。
【００９３】
このように前側部材４８が発光表示板４６を構成するような場合にも、その発光表示板４６に基板４７に当接する当接部９１があれば、その部分では基板４７の裏面側に回路パターン１１３，１１４を配置することにより、発光表示板４６との接触による回路パターン１１３，１１４の損傷を防止することができる。従って、発光表示板４６を前側部材４８により構成する等、その前側部材４８は区画部材８７以外のものでもよい。
【００９４】
以上、本発明の各実施形態について例示したが、本発明はこの各実施形態に限定されるものではなく、本発明の趣旨を逸脱しない範囲で種々の変更が可能である。例えば、各実施形態ではパチンコ機１について例示したが、パチンコ機１以外のアレンジボール機、雀球機、その他の遊技機に広く採用可能である。
【００９５】
実施形態では、ＬＥＤ６２の光の照射領域を区画する区画部材８７、ＬＥＤ６２からの光により発光する発光表示板４６を前側部材４８として例示しているが、基板４７の前側に配置される部材であれば、区画部材８７、発光表示板４６以外のものでもよい。
【００９６】
実施形態では、外周壁８９に当接部９１を設けているが、中間の区画壁９０に当接部を設けてもよい。但し、その場合には、区画壁９０の当接部に対応する部分の回路パターンは基板４７の裏面側に設ければよい。当接部９１が当接する当接領域から外れた部分には、基板４７の前面に回路パターン、その他を設けることが可能である。
【００９７】
区画部材８７と基板４７との隙間は、発光体の発光部位の基板４７からの突出高さ未満であればよい。また実施形態ではパチンコ機１の発光表示手段３１について例示したが、パチンコ機１等の弾球遊技機の他、弾球遊技機以外のスロットマシン等の各種の遊技機においても同様に実施することが可能である。
【符号の説明】
【００９８】
３１  発光表示手段
４７  基板
４８  前側部材
６１，６２  ＬＥＤ（発光体）
７６〜７８  回路パターン
４９〜５４  表示部
４９ａ〜５４ａ  照射領域
８７  区画部材
９０  区画壁
９１  当接部
９５，９８  隙間
【図１】
0005963895.tif 000002
【図２】
0005963895.tif 000003
【図３】
0005963895.tif 000004
【図４】
0005963895.tif 000005
【図５】
0005963895.tif 000006
【図６】
0005963895.tif 000007
【図７】
0005963895.tif 000008
【図８】
0005963895.tif 000009
【図９】
0005963895.tif 000010
【図１０】
0005963895.tif 000011
【図１１】
0005963895.tif 000012
【図１２】
0005963895.tif 000013
【図１３】
0005963895.tif 000014
【図１４】
0005963895.tif 000015
【図１５】
0005963895.tif 000016